(57)【要約】      （修正有）【課題】ＩＰネットワークを通じて外部に伝送し、専用のフラットホームソフトウエア又は顧客ターミナルを通じて、いつでもビデオ画像を見ることができ、関連コントロールを行うことができ、権限設置および暗号化アルゴリズムを通じて、ビデオ画像のアクセスと伝送の安全性を保証する知能ビデオ分析サーバーを提供する。【解決手段】ビデオ入力端はビデオコーディングモジュールを通じてデジタルＣＰＵと繋がり、デジタルＣＰＵはビデオ・ディコーディングモジュールを通じてビデオ出力端と繋がり、デジタルＣＰＵはシンクロナスダイナミックストレージモジュールと繋がり、デジタルＣＰＵはプログラミングロジックパーツと繋がり、デジタルＣＰＵはＦＬＡＳＨ（登録商標）モジュールと繋がり、デジタルＣＰＵはシリアルポート通信モジュールと繋がる。【選択図】図１
0003180152.tif 000002
【実用新案登録請求の範囲】
【請求項１】
ケーシングを含み、前記ケーシングの中には、ビデオコーディングモジュールや、ビデオ・ディコーディングモジュール、シンクロナスダイナミックストレージモジュール、プログラミングロジックパーツ、ＦＬＡＳＨモジュール、シリアルポート通信モジュールおよびデジタルＣＰＵなどが設置され、ビデオ入力端はビデオコーディングモジュールを通じてデジタルＣＰＵと繋がり、デジタルＣＰＵはビデオ・ディコーディングモジュールを通じてビデオ出力端と繋がり、デジタルＣＰＵはシンクロナスダイナミックストレージモジュールと繋がり、デジタルＣＰＵはプログラミングロジックパーツと繋がり、デジタルＣＰＵはＦＬＡＳＨモジュールと繋がり、デジタルＣＰＵはシリアルポート通信モジュールと繋がることを特徴とする知能ビデオ分析サーバー。
【請求項２】
前記ケーシングの中には、さらに、電源モジュールと光結合隔離モジュールが設置され、前記電源モジュールは光結合隔離モジュールと繋がることを特徴とする請求項１に記載の知能ビデオ分析サーバー。
【請求項３】
前記ケーシングの中には、さらに、ステレオオーディオコーディングモジュールが設置され、前記ステレオオーディオコーディングモジュールはデジタルＣＰＵと繋がることを特徴とする請求項２に記載の知能ビデオ分析サーバー。
【請求項４】
前記ケーシングの中には、さらに、ネットワーク伝送モジュールが設置され、前記ネットワーク伝送モジュールはデジタルＣＰＵと繋がることを特徴とする請求項３に記載の知能ビデオ分析サーバー。
【請求項５】
前記ケーシングの中には、さらに、運行状態検知モジュールが設置され、前記運行状態検知モジュールはデジタルＣＰＵと繋がることを特徴とする請求項４に記載の知能ビデオ分析サーバー。
【請求項６】
前記デジタルＣＰＵは型式ＤＭ６４２の第１チップと周辺回路からなり、前記ビデオコーディングモジュールは型式ＳＡＡ７１１３の第２チップと周辺回路からなり、前記ビデオディコーディングモジュールは型式ＳＡＡ７１２０の第３チップと周辺回路からなり、前記シンクロナスダイナミックストレージモジュールは型式ＭＴ４８ＬＣ４Ｍの第４チップと周辺回路からなり、前記プログラミングロジックパーツは型式ＥＰＭ２４０の第５チップと周辺回路からなり、前記ＦＬＡＳＨモジュールは型式ＡＭ２９ＬＶ３２０の第６チップと周辺回路からなり、前記シリアルポート通信モジュールは型式ＴＬ１６Ｃ５７２Ｂの第７チップや、ＭＡＸ３２３２の第８チップ、ＳＰ３４８５の第９チップと周辺回路からなり、前記ステレオ・オーディオコーディングモジュールは型式ＴＬＶ３２０ＡＩＣ２３の第１０チップと周辺回路からなり、前記運行状態検知モジュールは型式ＭＡＸ７０６Ｔの第１１チップや、ＩＳＬ１２０２６Ｓの第１２チップ、ＡＴ８８ＳＣ０１０４の第１３チップと周辺回路からなり、前記ネットワーク伝送モジュールは型式ＬＸＴ９７１ＡＬＣの第１４チップと周辺回路からなることを特徴とする請求項５に記載の知能ビデオ分析サーバー。
【請求項７】
前記第２チップの第１２リードは第１チップのＡＤ１５リードと繋がり、第２チップの第１３リードは第１チップのＡＥ１５リードと繋がり、第２チップの第１４リードは第１チップのＡＢ１６リードと繋がり、第２チップの第１５リードは第１チップのＡＣ１６リードと繋がり、第２チップの第１９リードは第１チップのＡＤ１６リードと繋がり、第２チップの第２０リードは第１チップのＡＥ１６リードと繋がり、第２チップの第２１リードは第１チップのＡＦ１６リードと繋がり、第２チップの第２２リードは第１チップのＡＦ１７リードと繋がり、
前記第３チップの第９リードは第１チップのＡＢ１２リードとつながり、前記第３チップの第１０リードは第１チップのＡＢ１１リードとつながり、前記第３チップの第１１リードは第１チップのＡＣ１１リードとつながり、前記第３チップの第１２リードは第１チップのＡＤ１１リードとつながり、前記第３チップの第１３リードは第１チップのＡＥ１１リードとつながり、前記第３チップの第１４リードは第１チップのＡＣ１０リードとつながり、前記第３チップの第１５リードは第１チップのＡＤ１０リードとつながり、前記第３チップの第１６リードは第１チップのＡＣ９リードとつながり、
前記第４チップの第２５リードは第１チップのＭ２４リードと繋がり、第４チップの第２６リードは第１チップのＭ２３リードと繋がり、第４チップの第２７リードは第１チップのＮ２６リードと繋がり、第４チップの第６０リードは第１チップのＮ２４リードと繋がり、第４チップの第６１リードは第１チップのＮ２３リードと繋がり、第４チップの第６２リードは第１チップのＰ２６リードと繋がり、第４チップの第６３リードは第１チップのＰ２４リードと繋がり、第４チップの第６４リードは第１チップのＰ２３リードと繋がり、第４チップの第６５リードは第１チップのＲ２４リードと繋がり、第４チップの第６６リードは第１チップのＲ２３リードと繋がり、第４チップの第２４リードは第１チップのＴ２５リードと繋がり、第４チップの第２１リードは第１チップのＴ２４リードと繋がり、第４チップの第２２リードは第１チップのＵ２６リードと繋がり、第４チップの第２３リードは第１チップのＵ２５リードと繋がり、
第５チップの第２６リードは第１チップのＢ２４リードと繋がり、第５チップの第２７リードは第１チップのＡ２４リードと繋がり、第５チップの第２８リードは第１チップのＢ２３リードと繋がり、第５チップの第２９リードは第１チップのＢ２２リードと繋がり、第５チップの第３０リードは第１チップのＣ２２リードと繋がり、第５チップの第３３リードは第１チップのＡ２３リードと繋がり、第５チップの第３４リードは第１チップのＣ２１リードと繋がり、第５チップの第３５リードは第１チップのＢ２１リードと繋がり、
第６チップの第２９リードは第１チップのＢ２４リードと繋がり、第６チップの第３１リードは第１チップのＡ２４リードと繋がり、第６チップの第３３リードは第１チップのＢ２３リードと繋がり、第６チップの第３５リードは第１チップのＢ２２リードと繋がり、第６チップの第３８リードは第１チップのＣ２２リードと繋がり、第６チップの第４０リードは第１チップのＡ２３リードと繋がり、第６チップの第４２リードは第１チップのＣ２１リードと繋がり、第６チップの第４４リードは第１チップのＢ２１リードと繋がり、
第７チップは第８チップと繋がり、第７チップは第９チップと繋がり、第７チップの第４４リードは第１チップのＢ２４リードと繋がり、第７チップの第４５リードは第１チップのＡ２４リードと繋がり、第７チップの第４６リードは第１チップのＢ２３リードと繋がり、第７チップの第４７リードは第１チップのＢ２２リードと繋がり、第７チップの第４８リードは第１チップのＣ２２リードと繋がり、第７チップの第１リードは第１チップのＡ２３リードと繋がり、第７チップの第２リードは第１チップのＣ２１リードと繋がり、第７チップの第３リードは第１チップのＢ２１リードと繋がり、
第１０チップの第３リードは第１チップのＡＥ６リードと繋がり、第１０チップの第４リードは第１チップのＡＣ６リードと繋がり、第１０チップの第５リードは第１チップのＡＤ６リードと繋がり、第１０チップの第６リードは第１チップのＡＤ７リードと繋がり、第１０チップの第７リードは第１チップのＡＣ７リードと繋がり、
第１２チップの第５リードは第１チップのＤ３リードと繋がり、第１２チップの第６リードは第１チップのＥ４リードと繋がり、第１３チップの第５リードは第１チップのＤ３リードと繋がり、第１３チップの第６リードは第１チップのＥ３リードと繋がり、
第１４チップの第５７リードは第１チップのＭ３リードと繋がり、第１４チップの第５８リードは第１チップのＭ２リードと繋がり、第１４チップの第５９リードは第１チップのＭ４リードと繋がり、第１４チップの第６０リードは第１チップのＬ２リードと繋がることを特徴とする請求項６に記載の知能ビデオ分析サーバー。
【考案の詳細な説明】
【技術分野】
【０００１】
本考案はビデオシグナル分析設備に関するもので、特に知能ビデオ分析サーバーに関するものである。
【背景技術】
【０００２】
現在の監視制御システムには一部の致命的な欠陥が存在している。
【０００３】
先ず、モニタリングの効率が低い。研究によれば、人間が長い時間、モニタを前にして画面を監視する場合、５分後の効率は２０％下がり、２０分後の効率は８０％下がり、１時間後は何と５％以下になるということである。人間の目の生理的な欠陥によって、事件報告の漏れはどうしても避けられない。
【０００４】
第二は、大型モニタリングネットワークが続々と現れるにつれ、それに対する効果的な管理は人間の能力ではなかなか難しい有様である。大型モニタリングシステムは、一般的に、数万チャンネル、ひいては数十万チャンネルのビデオシグナルに対するリアルタイム監視が必要となるので、運営業者は一般的に数千名、ひいては１万名に近い人を雇ってモニタを監視させるが、一人当たりに１チャンネルのビデオ画像を監視させるだけでなく、人数とモニタとの比例を一般的に１：１０、ひいては１：１６以上としている。これだけでなく、それぞれのモニタリング・シーンの間で順番に切り替わるので、重要な情報を粗忽にする場合も少なくない。
【０００５】
第三は、破壊防止能力が弱い。事前計画が上手な犯罪者は、人為的にビデオカメラの角度を変えたり、ビデオカメラのレンズを遮り、電源、又はシグナルケーブルを遮断するなどの方式によって、システムを失効させる。莫大な人力の投入と低い効率の原因で、伝統的なビデオモニタリングシステムは、大部受動的な現場録画に使われ、事後の証拠収集の用途に使われ、各種突発事件に対するリアルタイム警戒と防止には使えない状態である。
【０００６】
上記欠陥は、ビデオモニタリングシステムを設置して、威圧力を強化し、犯罪率を大きく低減し、犯罪の検挙率を大幅に向上しようとする最初の目的が良く実現できなくなっている。
【０００７】
目下、人々の要求はすでに最初の一般ビデオモニタリングから知能ビデオモニタリングに発展しており、コンピューターソフトウェア技術や、画像分析と処理技術を結合して、人間の代わりにコンピューターを使って、ビデオ画面に対するモニタリングを行おうとしているが、この目標を実現するには、知能分析機能を有するビデオシグナルサーバーがキーポイントとなる。
【考案の概要】
【考案が解決しようとする課題】
【０００８】
本考案にて解決しようとする技術問題は、コンピューターソフトウェアとの結合を通じて、ビデオモニタリング装置にビデオ画面中の目標に対して自動分析理解を行うことができ、ビデオシーン中の目標の実際サイズを正確に入手でき、その他の移動目標体の影響を効果的に除去でき、識別率を向上できる知能ビデオ分析サーバーを提供することである。
【課題を解決するための手段】
【０００９】
本考案は上記技術問題の解決のために次の技術方法を採用している。
【００１０】
ケーシングを含み、前記ケーシングの中には、ビデオコーディングモジュールや、ビデオ・ディコーディングモジュール、シンクロナスダイナミックストレージモジュール、プログラミングロジックパーツ、ＦＬＡＳＨモジュール、シリアルポート通信モジュールおよびデジタルＣＰＵなどが設置され、ビデオ入力端はビデオコーディングモジュールを通じてデジタルＣＰＵと繋がり、デジタルＣＰＵはビデオ・ディコーディングモジュールを通じてビデオ出力端と繋がり、デジタルＣＰＵはシンクロナスダイナミックストレージモジュールと繋がり、デジタルＣＰＵはプログラミングロジックパーツと繋がり、デジタルＣＰＵはＦＬＡＳＨモジュールと繋がり、デジタルＣＰＵはシリアルポート通信モジュールと繋がる、知能ビデオ分析サーバー。
【００１１】
前記ケーシングの中には、さらに、電源モジュールと光結合隔離モジュールが設置され、前記電源モジュールは光結合隔離モジュールと繋がる。
【００１２】
前記ケーシングの中には、さらに、ステレオオーディオコーディングモジュールが設置され、前記ステレオオーディオコーディングモジュールはデジタルＣＰＵと繋がる。
【００１３】
前記ケーシングの中には、さらに、ネットワーク伝送モジュールが設置され、前記ネットワーク伝送モジュールはデジタルＣＰＵと繋がる。
【００１４】
前記ケーシングの中には、さらに、運行状態検知モジュールが設置され、前記運行状態検知モジュールはデジタルＣＰＵと繋がる。
【００１５】
前記デジタルＣＰＵは型式ＤＭ６４２の第１チップと周辺回路からなり、前記ビデオコーディングモジュールは型式ＳＡＡ７１１３の第２チップと周辺回路からなり、前記ビデオディコーディングモジュールは型式ＳＡＡ７１２０の第３チップと周辺回路からなり、前記シンクロナスダイナミックストレージモジュールは型式ＭＴ４８ＬＣ４Ｍの第４チップと周辺回路からなり、前記プログラミングロジックパーツは型式ＥＰＭ２４０の第５チップと周辺回路からなり、前記ＦＬＡＳＨモジュールは型式ＡＭ２９ＬＶ３２０の第６チップと周辺回路からなり、前記シリアルポート通信モジュールは型式ＴＬ１６Ｃ５７２Ｂの第７チップや、ＭＡＸ３２３２の第８チップ、ＳＰ３４８５の第９チップと周辺回路からなり、前記ステレオ・オーディオコーディングモジュールは型式ＴＬＶ３２０ＡＩＣ２３の第１０チップと周辺回路からなり、前記運行状態検知モジュールは型式ＭＡＸ７０６Ｔの第１１チップや、ＩＳＬ１２０２６Ｓの第１２チップ、ＡＴ８８ＳＣ０１０４の第１３チップと周辺回路からなり、前記ネットワーク伝送モジュールは型式ＬＸＴ９７１ＡＬＣの第１４チップと周辺回路からなる。
【００１６】
前記第２チップの第１２リードは第１チップのＡＤ１５リードと繋がり、第２チップの第１３リードは第１チップのＡＥ１５リードと繋がり、第２チップの第１４リードは第１チップのＡＢ１６リードと繋がり、第２チップの第１５リードは第１チップのＡＣ１６リードと繋がり、第２チップの第１９リードは第１チップのＡＤ１６リードと繋がり、第２チップの第２０リードは第１チップのＡＥ１６リードと繋がり、第２チップの第２１リードは第１チップのＡＦ１６リードと繋がり、第２チップの第２２リードは第１チップのＡＦ１７リードと繋がる。
【００１７】
前記第３チップの第９リードは第１チップのＡＢ１２リードとつながり、前記第３チップの第１０リードは第１チップのＡＢ１１リードとつながり、前記第３チップの第１１リードは第１チップのＡＣ１１リードとつながり、前記第３チップの第１２リードは第１チップのＡＤ１１リードとつながり、前記第３チップの第１３リードは第１チップのＡＥ１１リードとつながり、前記第３チップの第１４リードは第１チップのＡＣ１０リードとつながり、前記第３チップの第１５リードは第１チップのＡＤ１０リードとつながり、前記第３チップの第１６リードは第１チップのＡＣ９リードとつながる。
【００１８】
前記第４チップの第２５リードは第１チップのＭ２４リードと繋がり、第４チップの第２６リードは第１チップのＭ２３リードと繋がり、第４チップの第２７リードは第１チップのＮ２６リードと繋がり、第４チップの第６０リードは第１チップのＮ２４リードと繋がり、第４チップの第６１リードは第１チップのＮ２３リードと繋がり、第４チップの第６２リードは第１チップのＰ２６リードと繋がり、第４チップの第６３リードは第１チップのＰ２４リードと繋がり、第４チップの第６４リードは第１チップのＰ２３リードと繋がり、第４チップの第６５リードは第１チップのＲ２４リードと繋がり、第４チップの第６６リードは第１チップのＲ２３リードと繋がり、第４チップの第２４リードは第１チップのＴ２５リードと繋がり、第４チップの第２１リードは第１チップのＴ２４リードと繋がり、第４チップの第２２リードは第１チップのＵ２６リードと繋がり、第４チップの第２３リードは第１チップのＵ２５リードと繋がる。
【００１９】
第５チップの第２６リードは第１チップのＢ２４リードと繋がり、第５チップの第２７リードは第１チップのＡ２４リードと繋がり、第５チップの第２８リードは第１チップのＢ２３リードと繋がり、第５チップの第２９リードは第１チップのＢ２２リードと繋がり、第５チップの第３０リードは第１チップのＣ２２リードと繋がり、第５チップの第３３リードは第１チップのＡ２３リードと繋がり、第５チップの第３４リードは第１チップのＣ２１リードと繋がり、第５チップの第３５リードは第１チップのＢ２１リードと繋がる。
【００２０】
第６チップの第２９リードは第１チップのＢ２４リードと繋がり、第６チップの第３１リードは第１チップのＡ２４リードと繋がり、第６チップの第３３リードは第１チップのＢ２３リードと繋がり、第６チップの第３５リードは第１チップのＢ２２リードと繋がり、第６チップの第３８リードは第１チップのＣ２２リードと繋がり、第６チップの第４０リードは第１チップのＡ２３リードと繋がり、第６チップの第４２リードは第１チップのＣ２１リードと繋がり、第６チップの第４４リードは第１チップのＢ２１リードと繋がる。
【００２１】
第７チップは第８チップと繋がり、第７チップは第９チップと繋がり、第７チップの第４４リードは第１チップのＢ２４リードと繋がり、第７チップの第４５リードは第１チップのＡ２４リードと繋がり、第７チップの第４６リードは第１チップのＢ２３リードと繋がり、第７チップの第４７リードは第１チップのＢ２２リードと繋がり、第７チップの第４８リードは第１チップのＣ２２リードと繋がり、第７チップの第１リードは第１チップのＡ２３リードと繋がり、第７チップの第２リードは第１チップのＣ２１リードと繋がり、第７チップの第３リードは第１チップのＢ２１リードと繋がる。
【００２２】
第１０チップの第３リードは第１チップのＡＥ６リードと繋がり、第１０チップの第４リードは第１チップのＡＣ６リードと繋がり、第１０チップの第５リードは第１チップのＡＤ６リードと繋がり、第１０チップの第６リードは第１チップのＡＤ７リードと繋がり、第１０チップの第７リードは第１チップのＡＣ７リードと繋がる。
【００２３】
第１２チップの第５リードは第１チップのＤ３リードと繋がり、第１２チップの第６リードは第１チップのＥ４リードと繋がり、第１３チップの第５リードは第１チップのＤ３リードと繋がり、第１３チップの第６リードは第１チップのＥ３リードと繋がる。
【００２４】
第１４チップの第５７リードは第１チップのＭ３リードと繋がり、第１４チップの第５８リードは第１チップのＭ２リードと繋がり、第１４チップの第５９リードは第１チップのＭ４リードと繋がり、第１４チップの第６０リードは第１チップのＬ２リードと繋がる。
【考案の効果】
【００２５】
既存技術に比べて、本考案の長所としては、知能ビデオ分析設備は先ずアナログビデオ・オーディオシグナルをデジタル化し、最新Ｈ．２６４圧縮技術を用いて圧縮し、デジタルシグナルと警戒シグナルを融合させて、ＩＰネットワークを通じて外部に伝送し、専用のフラットホームソフトウエア又は顧客ターミナルを通じて、いつでもビデオ画像を見ることができ、関連コントロールを行うことができ、権限設置および暗号化アルゴリズムを通じて、ビデオ画像のアクセスと伝送の安全性を保証することができる。それと同時に、独創的な人工知能や、知能ビデオ分析（ＩＶＳ）技術を用いて、ビデオ画面中の目標に対する自動分析理解、一般的に、移動目標の検知、目標トラッキング、目標分類、行為識別と理解などの幾つかの項目が含まれるが、必要に応じては３Ｄの目標トラッキングを利用して、ビデオシーン中目標の実際サイズを正確に得られ、その他の移動目標体の影響を効果的に除去して、識別率を向上することができる。
【図面の簡単な説明】
【００２６】
【図１】本考案のモジュール回路見取図。
【図２】本考案のデジタルＣＰＵの通信部分の電気回路図。
【図３】本考案のデジタルＣＰＵの電源部分の電気回路図。
【図４】本考案のビデオコーディングモジュールの電気回路図。
【図５】本考案のビデオディコーディングモジュールの電気回路図。
【図６】本考案のシンクロナスダイナミックストレージモジュールの電気回路図。
【図７】本考案のプログラミングロジックパーツの電気回路図。
【図８】本考案のＦＬＡＳＨモジュールの電気回路図。
【図９】本考案のシリアルポート通信モジュールの電気回路図。
【図１０】本考案のステレオオーディオコーディングモジュールの電気回路図。
【図１１】本考案のネットワーク伝送モジュールの電気回路図。
【図１２】本考案の運行状態検知モジュールの電気回路図。
【図１３】本考案の電源モジュールの電気回路図。
【図１４】本考案の光結合・隔離モジュールの電気回路図。
【考案を実施するための形態】
【００２７】
次では添付図と実施例に合わせて、本考案に対してさらに詳しく説明することにする。
【００２８】
ケーシングを含み、前記ケーシングの中には、ビデオコーディングモジュール１や、ビデオ・ディコーディングモジュール２、シンクロナスダイナミックストレージモジュール３、プログラミングロジックパーツ４、ＦＬＡＳＨモジュール５、シリアルポート通信モジュール６およびデジタルＣＰＵ７などが設置され、ビデオ入力端はビデオコーディングモジュール１を通じてデジタルＣＰＵ７と繋がり、デジタルＣＰＵ７はビデオ・ディコーディングモジュール２を通じてビデオ出力端と繋がり、デジタルＣＰＵ７はシンクロナスダイナミックストレージモジュール３と繋がり、デジタルＣＰＵ７はプログラミングロジックパーツ４と繋がり、デジタルＣＰＵ７はＦＬＡＳＨモジュール５と繋がり、デジタルＣＰＵ７はシリアルポート通信モジュール６と繋がる、知能ビデオ分析サーバー。
【００２９】
ケーシングの中には、さらに、電源モジュール８と光結合隔離モジュール９が設置され、電源モジュール８は光結合隔離モジュール９と繋がる。
【００３０】
ケーシングの中には、さらに、ステレオオーディオコーディングモジュール１０が設置され、ステレオオーディオコーディングモジュール１０はデジタルＣＰＵ７と繋がる。
【００３１】
ケーシングの中には、さらに、ネットワーク伝送モジュール１１が設置され、ネットワーク伝送モジュール１１はデジタルＣＰＵ７と繋がる。
【００３２】
ケーシングの中には、さらに、運行状態検知モジュール１２が設置され、運行状態検知モジュール１２はデジタルＣＰＵ７と繋がる。
【００３３】
デジタルＣＰＵ７は型式ＤＭ６４２の第１チップと周辺回路からなり、ビデオコーディングモジュール１は型式ＳＡＡ７１１３の第２チップと周辺回路からなり、ビデオディコーディングモジュール２は型式ＳＡＡ７１２０の第３チップと周辺回路からなり、シンクロナスダイナミックストレージモジュール３は型式ＭＴ４８ＬＣ４Ｍの第４チップと周辺回路からなり、プログラミングロジックパーツ４は型式ＥＰＭ２４０の第５チップと周辺回路からなり、ＦＬＡＳＨモジュール５は型式ＡＭ２９ＬＶ３２０の第６チップと周辺回路からなり、シリアルポート通信モジュール６は型式ＴＬ１６Ｃ５７２Ｂの第７チップや、ＭＡＸ３２３２の第８チップ、ＳＰ３４８５の第９チップと周辺回路からなり、ステレオ・オーディオコーディングモジュール１０は型式ＴＬＶ３２０ＡＩＣ２３の第１０チップと周辺回路からなり、運行状態検知モジュール１２は型式ＭＡＸ７０６Ｔの第１１チップや、ＩＳＬ１２０２６Ｓの第１２チップ、ＡＴ８８ＳＣ０１０４の第１３チップと周辺回路からなり、ネットワーク伝送モジュール１１は型式ＬＸＴ９７１ＡＬＣの第１４チップと周辺回路からなる。
【００３４】
前記第２チップの第１２リードは第１チップのＡＤ１５リードと繋がり、第２チップの第１３リードは第１チップのＡＥ１５リードと繋がり、第２チップの第１４リードは第１チップのＡＢ１６リードと繋がり、第２チップの第１５リードは第１チップのＡＣ１６リードと繋がり、第２チップの第１９リードは第１チップのＡＤ１６リードと繋がり、第２チップの第２０リードは第１チップのＡＥ１６リードと繋がり、第２チップの第２１リードは第１チップのＡＦ１６リードと繋がり、第２チップの第２２リードは第１チップのＡＦ１７リードと繋がる。
【００３５】
前記第３チップの第９リードは第１チップのＡＢ１２リードとつながり、前記第３チップの第１０リードは第１チップのＡＢ１１リードとつながり、前記第３チップの第１１リードは第１チップのＡＣ１１リードとつながり、前記第３チップの第１２リードは第１チップのＡＤ１１リードとつながり、前記第３チップの第１３リードは第１チップのＡＥ１１リードとつながり、前記第３チップの第１４リードは第１チップのＡＣ１０リードとつながり、前記第３チップの第１５リードは第１チップのＡＤ１０リードとつながり、前記第３チップの第１６リードは第１チップのＡＣ９リードとつながる。
【００３６】
前記第４チップの第２５リードは第１チップのＭ２４リードと繋がり、第４チップの第２６リードは第１チップのＭ２３リードと繋がり、第４チップの第２７リードは第１チップのＮ２６リードと繋がり、第４チップの第６０リードは第１チップのＮ２４リードと繋がり、第４チップの第６１リードは第１チップのＮ２３リードと繋がり、第４チップの第６２リードは第１チップのＰ２６リードと繋がり、第４チップの第６３リードは第１チップのＰ２４リードと繋がり、第４チップの第６４リードは第１チップのＰ２３リードと繋がり、第４チップの第６５リードは第１チップのＲ２４リードと繋がり、第４チップの第６６リードは第１チップのＲ２３リードと繋がり、第４チップの第２４リードは第１チップのＴ２５リードと繋がり、第４チップの第２１リードは第１チップのＴ２４リードと繋がり、第４チップの第２２リードは第１チップのＵ２６リードと繋がり、第４チップの第２３リードは第１チップのＵ２５リードと繋がる。
【００３７】
第５チップの第２６リードは第１チップのＢ２４リードと繋がり、第５チップの第２７リードは第１チップのＡ２４リードと繋がり、第５チップの第２８リードは第１チップのＢ２３リードと繋がり、第５チップの第２９リードは第１チップのＢ２２リードと繋がり、第５チップの第３０リードは第１チップのＣ２２リードと繋がり、第５チップの第３３リードは第１チップのＡ２３リードと繋がり、第５チップの第３４リードは第１チップのＣ２１リードと繋がり、第５チップの第３５リードは第１チップのＢ２１リードと繋がる。
【００３８】
第６チップの第２９リードは第１チップのＢ２４リードと繋がり、第６チップの第３１リードは第１チップのＡ２４リードと繋がり、第６チップの第３３リードは第１チップのＢ２３リードと繋がり、第６チップの第３５リードは第１チップのＢ２２リードと繋がり、第６チップの第３８リードは第１チップのＣ２２リードと繋がり、第６チップの第４０リードは第１チップのＡ２３リードと繋がり、第６チップの第４２リードは第１チップのＣ２１リードと繋がり、第６チップの第４４リードは第１チップのＢ２１リードと繋がる。
【００３９】
第７チップは第８チップと繋がり、第７チップは第９チップと繋がり、第７チップの第４４リードは第１チップのＢ２４リードと繋がり、第７チップの第４５リードは第１チップのＡ２４リードと繋がり、第７チップの第４６リードは第１チップのＢ２３リードと繋がり、第７チップの第４７リードは第１チップのＢ２２リードと繋がり、第７チップの第４８リードは第１チップのＣ２２リードと繋がり、第７チップの第１リードは第１チップのＡ２３リードと繋がり、第７チップの第２リードは第１チップのＣ２１リードと繋がり、第７チップの第３リードは第１チップのＢ２１リードと繋がる。
【００４０】
第１０チップの第３リードは第１チップのＡＥ６リードと繋がり、第１０チップの第４リードは第１チップのＡＣ６リードと繋がり、第１０チップの第５リードは第１チップのＡＤ６リードと繋がり、第１０チップの第６リードは第１チップのＡＤ７リードと繋がり、第１０チップの第７リードは第１チップのＡＣ７リードと繋がる。
【００４１】
第１２チップの第５リードは第１チップのＤ３リードと繋がり、第１２チップの第６リードは第１チップのＥ４リードと繋がり、第１３チップの第５リードは第１チップのＤ３リードと繋がり、第１３チップの第６リードは第１チップのＥ３リードと繋がる。
【００４２】
第１４チップの第５７リードは第１チップのＭ３リードと繋がり、第１４チップの第５８リードは第１チップのＭ２リードと繋がり、第１４チップの第５９リードは第１チップのＭ４リードと繋がり、第１４チップの第６０リードは第１チップのＬ２リードと繋がる。
【００４３】
各部モジュールの作動原理：電源モジュールは１２Ｖ電圧を３．３Ｖ、５Ｖおよび１２Ｖの安定な電圧に変えて、光結合隔離モジュールを通じてシステムに供給する。
【００４４】
アナログオーディオは、ステレオオーディオコーディングモジュールによって、デジタルオーディオに換えられてからＤＳＰに伝送され、ＤＳＰによって処理されたデジタルオーディオは、ステレオオーディオコーディングモジュールによって、アナログオーディオに換えられてから出力される。
【００４５】
アナログビデオは、ビデオコーディングモジュールによって、デジタルビデオに換えられてからＤＳＰに伝送され、ＤＳＰによって処理されたデジタルビデオはビデオディコーディングモジュールによって、アナログビデオに換えられてから出力される。
【００４６】
ＤＳＰはプログラミングパーツを通じて外部ブザーや、ＬＥＤランプなどの設備をコントロールし、ＤＳＰ運行コードはＦＬＡＳＨモジュールに保存され、ＤＳＰはシリアルポート通信モジュールを通じて外部シリアルポート通信設備をコントロールし、ＤＳＰはネットワーク伝送モジュールを通じて外部ネットワーク通信設備をコントロールし、ＤＳＰは処理済みデータをメモリに保存されると同時に、ＤＳＰはＰＣＢの電源電圧およびＭＣＵの運行状態などに対してモニタリングする。
【符号の説明】
【００４７】
１    ビデオコーディングモジュール
２    ビデオ・ディコーディングモジュール
３    シンクロナスダイナミックストレージモジュール
４    プログラミングロジックパーツ
５    ＦＬＡＳＨモジュール
６    シリアルポート通信モジュール
７    デジタルＣＰＵ
８    電源モジュール
９    光結合隔離モジュール
１０    ステレオオーディオコーディングモジュール
１１    ネットワーク伝送モジュール
１２    運行状態検知モジュール
【図１】
0003180152.tif 000003
【図２】
0003180152.tif 000004
【図３】
0003180152.tif 000005
【図４】
0003180152.tif 000006
【図５】
0003180152.tif 000007
【図６】
0003180152.tif 000008
【図７】
0003180152.tif 000009
【図８】
0003180152.tif 000010
【図９】
0003180152.tif 000011
【図１０】
0003180152.tif 000012
【図１１】
0003180152.tif 000013
【図１２】
0003180152.tif 000014
【図１３】
0003180152.tif 000015
【図１４】
0003180152.tif 000016